Podtech/llm-jp-corpus-v4-ja_patent huggingface dataset:
(57)【要約】【課題】容器の中の粘性物（ペースト）が残り少なくなってきた場合、遠心力でその粘性物（ペースト）を容器の出口に集めて最後まで無駄なく消費することができるようにする。【解決手段】蓋をした粘性物（ペースト）の入った容器を収容できる袋の一辺に輪を添え付け、軸棒をその輪に通し、容器の蓋が軸棒に対して遠方方向になるように容器を袋に収容した上で、軸棒を握った手で軸棒に小刻みに回転運動を与え、袋を回転させることで遠心力が働き、容器内部に散在していた粘性の残留物を容器の出口、蓋の方向に集めるようにする。【選択図】図２
2018188215.tif 000002
【特許請求の範囲】
【請求項１】
蓋をした粘性物（ペースト）の入った容器を収容できる袋の一辺に輪を添え付け、軸棒をその輪に通し、軸棒を握った手で軸棒に小刻みに回転運動を与え、容器の入った袋を回転させることで遠心力が働き、容器内部に散在していた粘性の残留物を回転軸に対して遠心方向に集めるようにする装置。
【発明の詳細な説明】
【技術分野】
【０００１】
本発明は、容器の中の粘性物（ペースト）が残り少なくなってきた場合、遠心力で容器の出口に集めることで粘性物（ペースト）を容器にほとんど残すことなく無駄なく消費することができる装置に関するものである。
【背景技術】
【０００２】
従来、チューブなどの容器に入った粘性物（ペースト）は、例えば歯磨き粉で言えばその残留物に対してチューブ絞り装置のように容器を加圧して絞り出すものが考案されてきた。
【０００３】
しかし、そのような装置を使ってラミネートチューブを加圧して押し出そうとしてもどうしてもチューブの折り目やシリに若干残ってしまうことも少なくない。
【０００４】
しかも、残留物の絞り出し装置に歯車が必要であったりしてやや複雑な構造を持ち、装置の価格が高くなることが多かった。
【０００５】
また、容器もラミネートチューブタイプのもの、プラスチック製のボトル型のものなど容器の軟度、大小は様々なため、絞り出し装置は、歯磨き粉商品ならその歯磨き粉商品専用のものでしか使えず、汎用性があまりなく、化粧品用や医薬品用、調味料用などの様々な容器に対応することが難しいという問題があった。
【０００６】
この改善策として、蓋をした粘性物（ペースト）の入った容器を袋状のものに入れ、それを回転させることで遠心力が働き、容器内部に散在していた粘性の残留物を軸棒に対して遠心方向に集めるようにする。なお、容器を袋に入れる際、容器の向きは軸棒に対して垂直で、粘性物の出口、容器の蓋側が軸棒より遠方側になるようにする。このようにして容器の出口に残留物のペーストを集めることで無駄なく内容物を使い切ることができるようになる。
【先行技術文献】
【特許文献】
【０００７】
【特許文献１】特開２００９−１７３３３３号公報
【発明の概要】
【発明が解決しようとする課題】
【０００８】
解決しようとする問題点は、ラミネートチューブ内のペーストが残り少なくなってくると加圧してペーストを押し出そうとしてもチューブの折り目やシリに残りやすく、なかなか最後まで使い切ることができない点である。
【０００９】
また、粘性の残留物を取り出すのに複雑な構造の装置を用いると、高いコストがかかってしまう点がある。
【課題を解決するための手段】
【００１０】
本発明は、袋状のものに容器を入れ、回転させることで遠心力が働き、容器内に散在していた粘性物（ペースト）を容器の出口に集めることを最も主要な特徴とする。
【発明の効果】
【００１１】
更に本発明の回転式吐出装置は、加圧して粘性物（ペースト）を集め出すのではなく遠心力を用いるため、容器の大きさやその硬軟に対して自由度が高いという利点がある。ラミネートチューブのみならず、様々なプラスチック製容器に対応可能なため、化粧品や医薬品、調味料等様々な分野に応用できる。
【００１２】
また、簡単な構造でできているので、発明品を低コストで生産できるという利点もある。
【図面の簡単な説明】
【００１３】
【図１】本発明品に粘性物（ペースト）の入った容器を収めた、実施形態の一つの例としての説明図である。
【図２】容器を回転させることで容器の中の粘性物（ペースト）が遠心力により容器の出口方向に集ることを示した模式図である。
【図３】本発明品に粘性物（ペースト）の入った容器を収めた説明図で、両手で容器を回転させる実施形態の一例として提示した説明図である。
【発明を実施するための形態】
【００１４】
次に本発明の実施の形態を図面に基づいて説明する。
【実施例】
【００１５】
図１、図２及び図３は、本発明の一例として実施の形態を示す図で、ここでは粘性物（ペースト）の入ったラミネートチューブ容器を袋に収容している。
【００１６】
図１では容器７を袋２に入れるための出し入れ口６は、袋２の上部にしているが、それは袋２の側面でも下部でも構わない。ただ、袋２は軸棒１を中心に回転するので、遠心力で容器７が袋２から飛び出さないように出し入れ口６は例えばファスナーで閉じておく。
【００１７】
また、図１，図２では容器７は、軸棒１に対して垂直方向（横置き）で、容器の蓋８を軸棒１に対して遠方側に配置して袋２に収容する。
【００１８】
図２は、持ち手３を握った手で小刻みに回転運動を軸棒１に与え、軸棒１を中心軸として袋２が回るようにし、そこで発生する遠心力から袋２に入っている容器７の中の粘性の残留物９が容器の蓋８の周辺、すなわち容器７の出口に集まることを示している。
【００１９】
留め具４は、袋２の回転中に輪５が軸棒１から飛び出ないようにするためのストッパーとしての役割を果たす。
【００２０】
図３は取っ手３を軸棒１の両端につけた実施の形態の一つの例である。軸棒１を横にして左右の手でそれぞれの端を持ち、図２同様、軸棒１に回転運動を与えることで軸棒１を中心軸として袋２が回り、その遠心力から袋２に入った容器７の粘性の残留物を容器の蓋８の周辺、すなわち容器７の出口に集めることができる。
【００２１】
図３の例では、容器７は軸棒１に対して垂直方向（縦置き）で、容器の蓋８を軸棒１に対して遠方側に配置して袋２に収容する。
【００２２】
なお、図２、図３とも回転方向は右回りでも左回りでも構わない。
【００２３】
粘性物（ペースト）が入った容器は、袋に一つだけでなく、同時に複数個処理することも可能である。袋に複数入れて回転させ、それぞれ粘性物（ペースト）の残留物を容器の出口に集め、それぞれの容器で残留物を無駄なく出し切ることも可能である。
【産業上の利用可能性】
【００２４】
例えば、エステティックサロンでラミネートチューブに入れたペースト状の化粧品を使う場合があるが、それらはレアな原材料が使用されていることもあり、また高品質のためg単価（質量単価）が高いものも少なくない。それらも本発明品を用いれば、簡単にチューブの中の貴重な化粧品を残留させることなく、使い切ることができる。このように個人使用・家庭用に限らず、業務用の分野にも応用が可能である。
【符号の説明】
【００２５】
１ 軸棒
２ 容器を入れる袋
３ 持ち手
４ 留め具
５ 輪
６ 容器を入れる出し入れ口
７ 粘性物（ペースト）の容器本体
８ 粘性物（ペースト）の容器の蓋
９ 容器の中の粘性の残留物
【図１】
2018188215.tif 000003
【図２】
2018188215.tif 000004
【図３】
2018188215.tif 000005
(57)【要約】【課題】災害等の環境に影響されることなく通信可能な環境を提供することができる通信用バルーン装置を提供する。【解決手段】  バルーン本体の外部にアンテナ及びスピーカを少なくとも具備していることを特徴とし、バルーン本体の表面に位置を示す表示を設け、かつ、そのバルーン本体に照明手段等を設けてある。バルーン本体はロープを介して地上に固定されている。【選択図】図１
2018188004.tif 000002
【特許請求の範囲】
【請求項１】
バルーン本体の外部にアンテナ及びスピーカを具備していることを特徴とする通信用バルーン装置。
【請求項２】
前記アンテナ及び前記スピ―カは、前記バルーン本体の下部に下方に向けて指向されて設けられ、
前記アンテナ及び前記スピーカは、前記バルーン本体と地面とを繋ぐロームに沿って設けられた通信線を介して、地上に設けられた電気装置と通電している
請求項１に記載の通信用バルーン装置。
【請求項３】
中継カメラをさらに具備している請求項１又は請求項２に記載の通信用バルーン装置。
【請求項４】
バルーン本体の表面に位置を示す表示を設け、かつ、そのバルーン本体に照明手段を設けてあることを特徴とする請求項１〜３のいずれかに記載の通信用バルーン装置。
【発明の詳細な説明】
【技術分野】
【０００１】
本発明は通信用バルーン装置、他区域との正確な情報交換をなし、また、位置を明確に知らせることができる通信用バルーン装置に関する。
【背景技術】
【０００２】
従来より、災害があった場合、通信手段が遮断されてしまうことがある。
本発明は、災害等の環境に影響されることなく通信可能な環境を提供することができる通信用バルーン装置を提供することを目的としている。
【発明の概要】
【課題を解決するための手段】
【０００３】
上述した従来技術の問題を解決し、上述した目的を達成するために、本発明に係る通信用バルーン装置はバルーン本体の外部に取り付けられたアンテナ及びスピーカを少なくとも具備していることを特徴としている。
【０００４】
上記のような構成としたことにより、少なくともアンテナ及びスピーカは地上の状況に影響されず、空中高く位置されることとなり、その効を奏することができる。また、バルーンが上げられること、そして、そのバルーンに表示や照明が付くことで遠くからもその位置が確認できる。
【０００５】
好適には、前記アンテナ及び前記スピ―カは、前記バルーン本体の下部に下方に向けて指向されて設けられ、前記アンテナ及び前記スピーカは、前記バルーン本体と地面とを繋ぐロームに沿って設けられた通信線を介して、地上に設けられた電気装置と通電している。
好適には、中継カメラをさらに具備している。
【０００６】
さらに、好適には、バルーン本体の表面に位置を示す表示を設け、かつ、そのバルーン本体に照明手段を設けてあることを特徴とする。
【発明の効果】
【０００７】
本発明に係る通信用バルーン装置によれば、緊急時にあって周囲の状況に左右されず電波の送受やスピーカの作動ができ、火の見やぐらとしての効も奏することとなる。また、緊急避難場所の目印としても大きな役目を果たすことができる。
【図面の簡単な説明】
【０００８】
【図１】本発明を実施した通信用バルーン装置を説明するためお図である。
【発明を実施するための形態】
【０００９】
以下、本発明の実施の形態を図面を参照して説明する。
図１は本発明の実施形態に係る通信用バルーン装置を示す全体正面図である。
【００１０】
図１に示すように、本実施形態の通信用バルーン装置は、その使用時に、バルーン本体１が空に上がり、遠方からも視認可能である。
例えば、地面にアンカー杭７が固定されており、アンカー杭７に係留ロープウインチ９が固定されている。
【００１１】
係留ロープウインチ９から係留ロープ５がバルーン本体１の下部の複数個所に固定されている。係留ロープウインチ９とバルーン本体１との間の距離は、係留ロープウインチ９による係留ロープ５の巻き取り角度によって調整される。
図１にあって１はバルーン本体を示しており、その外表面には上げた場所等を遠方からでも確認できる。
【００１２】
バルーン本体１の下部には、通信アンテナ２及びスピーカ３が固定されている。
また、地上には、通信装置８が設置されている。
通信アンテナ２及びスピーカ３と、通信装置８とは通信線４を介して接続されている。
【００１３】
操作者が通信装置８を操作することで、通信線４を介して通信アンテナ２及びスピーカ３が制御される。
例えば、通信アンテナ２から携帯電話等の通信用電波が発信されると共に、スピーカ３から警報等の音声が出力される。
【００１４】
本実施形態の通信用バルーン装置によれば、緊急時にあって周囲の状況に左右されず電波の送受やスピーカの作動ができ、火の見やぐらとしての効も奏することとなる。また、緊急避難場所の目印としても大きな役目を果たすことができる。
また、通信アンテナ２を作動させることで、携帯電話等についての地上のアンテナが不能になった場合でも、通信が可能になる。
【００１５】
なお、バルーン本体１には、複数の照明用ランプが搭載されていてもよい。夜間時における位置確認及び照明用ランプの点滅を利用してモールス信号を送ることも可能としている。
さらに、バルーン本体１に液晶等の大型ディスプレイを設け、地上からメッセージを視認できるようにしてもよい。
【００１６】
また、バルーン本体１には中継カメラを搭載し、係留ロープ５に取り付けられたコードを通じて、地上からカメラを制御してもよい。当該中継カメラからの画像を基に、地上から広範囲の地上の状況を視覚的に把握できる。
【符号の説明】
【００１７】
１…バルーン本体
２…通信アンテナ
３…スピーカ
４…通信線
５…係留ロープ
６…滑車
７…アンカー杭
８…通信装置
９…係留ロープウインチ
【図１】
2018188004.tif 000003
(57)【要約】      （修正有）【課題】温度と湿度の調整機能があり、長時間使用しても、高温多湿にならず、有効に髪の毛の湿度を保ち、乾燥状況をへらすシルクコンディショナーキャップを得ること。【解決手段】シルクの材質を１００％利用し、生地の厚さを１６ミクロン（μｍ）としたシルクコンディショナーキャップであって、コンディショナーキャップを伸縮性のあるサテン（ビーム）ロープで頭に固定すること。【選択図】図１
2018188781.tif 000002
【特許請求の範囲】
【請求項１】
１．シルクの材質を１００％利用してシルクコンディショナーキャップは作られています。また生地の厚さは１６ミクロン（μｍ）になっています。２．シルク素材のコンディショナーキャップは、伸縮性のあるサテン（ビーム）ロープで頭に固定することによって落下しにくくなります。
【発明の詳細な説明】
【技術分野】
【０００１】  本発明は、ヘアキャップに関し、シルク素材を利用したソフトキャップ構造。ゴムバンドとサテン（ビーム）ロープで、ヘアキャップを頭に固定させて、落ちにくくなっております。【０００２】  シルクコンディショナーキャップの主な機能は、天然シルク繊維を使用しており、静電気が起こしにくくなっています。睡眠中に静電気を効果的に隔離し、人造繊維の織物と髪との摩擦を最小減にします。静電気および摩擦が破損や枝毛又は乾燥になりやすくなり、髪の毛にダメージを与えてしまいます。【０００３】  シルクコンディショナーキャップは、シルクの中に含まれた十八種類の天然アミノ酸、また人の髪の毛同様のヘリックスタンパクを利用しています。人間の髪の毛と同様のアミノ酸やタンパク質の使用は、効果的に組織の毛、毛林の部分を養ないます。【０００４】  シルクコンディショナーキャップは、シルクコンディショナーキャップの中に含まれているアミノ酸がキューティクル老化を和らげ、髪のキューティクルが開き毛髪状態を改善します。【０００５】  キューティクルは、天然アミノ酸やタンパク質が含まれているシルクコンディショナーキャップの接触を通じて、髪のキューティクルを有効修復することができます。また復元後の状態を閉じ髪のキューティクルに光沢としなやかな感触を維持します。【０００６】  シルクコンディショナーキャップは天然シルク繊維を使用しており、シルク繊維は温度と湿度の調整機能があり、長時間着用しいても高温多湿にはなりません。そのうえ有効に髪の毛の湿度を保ち、乾燥状況をへらします。【０００７】  シルクは天然質で軽くて柔らかく、長い時間着用していても圧力を与えません。
【先行技術文献】
【０００８】  過去に直接ではないヘアコンディショナーキャップ機能があるが、メディアを通じて、ヘアコンディショナー発効効果的な浸透を実現するために（ヘアケア製品）と加熱機能で生成された電力を通じヘアキャップそのもの効果を高める必要があります。
【発明の概要】
【０００９】  髪はタンパク質老化ケラチノサイトで作られています。栄養不足、偏食、天然パーマなどの原因で髪の毛が乾燥してしまいます。こうして、審美的な人たちは、現代的な加熱や化学物質の使用したパーマや染髮などをし、乾燥、縮れ、鈍い髪、傷んだ髪など光沢を失い抜け毛の状況があります。したがって、髪の毛に効果がに到達する方法として、シルクを使ったコンディショナーキャップを製造開発しました。
【００１０】  市場では様々な髪の毛のケアはありますが、大抵髪のケアに時間を費やす必要があり動きが限られてしまいます。比べて加熱しきのヘアキャップは、髪を洗う必要があり、ヘアクリームを適用した後、大部分の水を除去し、ヘアコンディショナーをつけ、加熱用ヘアキャップに必要な配線や電池に接続されていて、長い時間高熱で頭を蒸す状態にしていると、トリートメントが落ち、蒸し暑く、温度調整が難しいです。そのうえ身動きができないのでとても不便です。
【００１１】  シルクコンディショナーキャップの主な原料シルクを生かし、ゴムバンドとサテン（ビーム）ロープで固定じキャップが脱落しにくくなります。材質が軽るくて柔らかく、長時間着用していても、プレッシャーがかからず行動も自由になります。天然シルクに含まれるアミノ酸とたんぱく質を利用して髪の毛のダメージを補修し、髪の毛の光沢の維持や、睡眠時に髪の毛の摩擦や寝具で静電気が生まれ髪にダメージを与えるのを防ぎます。2018188781.tif 000003
【００１２】テスターが天然パーマの場合〔ｂｅｆｏｒｅ〕参考写真１参照
【００１３】使用後翌日〔ａｆｔｅｒ〕参考写真２参照
【図面の簡単な説明】
【００１４】
【図１】製品のフル画像
【図２】着用図
【発明を実施するための形態】
【００１５】  シルクコンディショナーキャップは、シルクの中に十八種類の天然アミノ酸、また人の髪の毛同様のヘリックスタンパクが含まれており、着用している時に髪の毛のダメージやキューティクルの補修をし、キューティクルを塞げます。軽く柔らかいので、長時間気軽に着用でき、障害や頭圧が発生することはありません。睡眠時に髪の毛の摩擦や寝具で髪の毛が絡まるのを防ぎます。シルクコンディショナーキャップは、温度と湿度の調整機能があり、着用している際に効果的に保湿し、縮れた髪を軽減します。
【００１６】  シルクコンディショナーキャップは、主にシルクを使用しており、着用時に脱落防止にゴムバンドとサテン（ビーム）ロープを使用して固定します。シルクコンディショナーキャップは、軽く温度と湿度の調整機能を備えており、長時間着用していても蒸し暑くプレッシャーを感じる事はありません。着用しているさいシルクに含まれているアミノ酸と蛋白質が有効的にキューティクルの補修や保湿、髪の毛の絡まりを防ぎ静電気を最小限にします。
【符号の説明】
【００１７】１  ヘアーキャップ本体２  バイザー３  ゴムバンド４  サテン（ビーム）ロープ
【図１】
2018188781.tif 000004
【図２】
2018188781.tif 000005
(57)【要約】      （修正有）【課題】着用者の首や肩の曲面に自然にフィットして、窮屈感が少ないショール類を提供する。【解決手段】衣類の内のショール類（例えば、ショール、マフラー、スカーフ、ストール、ネックウォーマー）であって、ショール類本体Ａの服地が、ショール類の長手方向に対して、伸縮融通性が優れているバイアス地（例えば、バイアスカットした織地、バイアスカットした編地、バイアス織にした織地、バイアス編みにした編地）である、バイアス地仕立てのショール類。【選択図】図２
2018188782.tif 000002
【特許請求の範囲】
【請求項１】
衣類の内のショール類（例えば、ショール、マフラー、スカーフ、ストール、ネックウォーマー）であって、該ショール類本体の服地が、ショール類の長手方向に対して、伸縮融通性が優れているバイアス地（例えば、バイアスカットした織地、バイアスカットした編地、バイアス織にした織地、バイアス編みにした編地）であることを特徴とする、バイアス地仕立てのショール類。
【請求項２】
衣類の内のショール類（例えば、ショール、マフラー、スカーフ、ストール、ネックウォーマー）であって、該ショール類本体の服地が、ショール類の長手方向に対して、伸縮融通性が優れているバイアス地（例えば、バイアスカットした織地、バイアスカットした編地、バイアス織にした織地、バイアス編みにした編地）であり、上記ショール類本体の周縁部に施す、縫合又は絎け縫い又は縁飾りの縫製が、伸縮融通性が優れていて上記ショール類本体の伸縮融通性を妨げない縫製（例えば、ジグザグ縫い、千鳥絎け、バイアステープのパイピング等）であることを特徴とする、バイアス地仕立てのショール類。
【発明の詳細な説明】
【技術分野】
【０００１】  本発明は、衣類の内のショール類（例えば、ショール、マフラー、スカーフ、ストール、ネックウォーマー）であって、該ショール類は、長手方向の伸縮融通性が優れていて、着用者の首や肩の曲面に自然にフィットして、窮屈感が少ない、バイアス地仕立てのショール類に関する。
【背景技術】
【０００２】  従来のショール類は、長手方向に対して、縦地仕立て又は横地仕立てであり、長手方向の伸縮融通性が乏しいので、着用者の首や肩の曲面にフィットしにくく、窮屈に感じる人もいる。
【先行技術文献】
【特許文献】
【０００３】
【特許文献１】特開２０１３−２３７９６５
【特許文献２】実用新案登禄第３１０７６０６
【発明の概要】
【発明が解決しようとする課題】
【０００４】  着用者の首や肩の曲面に自然にフィットして、窮屈感が少ないショール類を提供する。
【課題を解決するための手段】
【０００５】  伸縮融通性が優れているバイアス地の特徴を利用して、ショール類を、ショール類の長手方向に対して、伸縮融通性が優れているバイアス地仕立てにする。
【発明の効果】
【０００６】  ショール類を、長手方向の伸縮融通性が優れているバイアス地仕立てにすることで、着用者の首や肩の曲面に自然にフィットして、窮屈感が少ないショール類になる。
【図面の簡単な説明】
【０００７】
【図１】ショール類本体周縁部に、縫合を施した部分の実施例の斜視図。
【図２】ショール類本体周縁部に、絎け縫いを施した部分の実施例の断面の斜視図。
【図３】ショール類本体周縁部に、縁飾りを施した部分の実施例の断面の斜視図。
【発明を実施するための形態】
【０００８】  長手方向の伸縮融通性が優れているバイアス地仕立てのショール類にするために、ショール類本体の服地には、ショール類の、長手方向に対して伸縮融通性が優れているバイアス地（例えば、バイアスカットした織地又はバイアスカットした編地又はバイアス織にした織地又はバイアス編みにした編地等）を使用する。
上記ショール類本体の周縁部に、縫合又は絎け縫い又は縁飾り等の縫製を施す場合は、ショール類本体の伸縮融通性を妨げない、伸縮融通性が優れていている縫製（例えばジグザグ縫い、千鳥絎け、バイアステープのパイピング等）を施す。
【実施例】
【０００９】  添付図面に従って実施例の説明をするが、本発明はこれらに限定されるものではない。
図１〜図３において、ショール類本体Ａの服地には、ショール類の長手方向に対して、伸縮融通性が優れているバイアス地を使用する。Ｔは経糸方向をＹは緯糸方向を示す。
図１は、ショール類（例えば、ネックウォーマー）本体周縁部Ｂに縫合Ｂ１を施した場合の実施例であって、ショール類本体周縁部Ｂの縫合Ｂ１には、ショール類本体Ａの伸縮融通性を妨げない、伸縮融通性が優れている縫合Ｂ１（実施例では、ジグザグ縫い）を施す。
図２は、ショール類本体周縁部Ｂに絎け縫いＢ２を施した場合の実施例であって、ショール類本体周縁部Ｂの絎け縫いＢ２には、ショール類本体Ａの伸縮融通性を妨げない、伸縮融通性が優れている絎け縫いＢ２（実施例では、千鳥絎け）を施す。
図３は、ショール類本体周縁部Ｂに縁飾りＢ３を施した場合の実施例であって、ショール類本体周縁部Ｂの縁飾りＢ３には、ショール類本体Ａの伸縮融通性を妨げない、伸縮融通性が優れている縁飾りＢ３（実施例では、バイアステープのパイピング）を施す。
【産業上の利用可能性】
【００１０】  本発明の、バイアス地仕立てのショール類は、長手方向の伸縮融通性が優れているので、着用者の首や肩の曲面に自然にフィットして、窮屈感が少なく、着用感が良い。
【符号の説明】
【００１１】  Ａ    ショール類本体
Ｂ    ショール類本体周縁部
Ｂ１  ショール類本体周縁部の縫合
Ｂ２  ショール類本体周縁部の絎け縫い
Ｂ３  ショール類本体周縁部の縁飾り、
Ｔ    経糸方向
Ｙ    緯糸方向
【図１】
2018188782.tif 000003
【図２】
2018188782.tif 000004
【図３】
2018188782.tif 000005